(57)【特許請求の範囲】
【請求項１】
薬剤容器の栓側と接続される第一の部材と、一端で該第一の部材に接続され、他端で注射筒に接続される第二の部材と、前記第一の部材と接続され、前記薬剤容器を密封状態で覆うための第三の部材と、を有する、前記薬剤容器と前記注射筒との間で薬剤の移送を行う薬剤移送装置であって、
前記第一の部材が、
前記薬剤容器の栓側に向けて先端部が配置され、前記第二の部材側に向けて根元部が配置されると共に、根元部及び先端部に、薬剤を移送するための孔を備えた第一の中空針部材と、
前記薬剤容器の栓部外径の大きさに合わせて、接続部位の大きさを変化させ、前記薬剤容器の栓を挟着する薬剤容器把持部と、を有し、
前記第二の部材が、
前記第一の部材側に向けて先端部が配置され、前記注射筒側に向けて根元部が配置されると共に、根元部及び先端部に薬剤を移送するための孔を備える第二の中空針部材を有し、
前記第三の部材が、
開口部と、
前記薬剤容器を安定的に載置させる底面部と、
一端で前記開口部と接続され、他端で前記底面部と接続されると共に、側方外部から前記底面部に載置される前記薬剤容器が視認可能であって、かつ、高さ調節が自在であって、前記薬剤容器を覆う軟性部材と、を有し、
前記軟性部材が前記薬剤容器把持部を覆った状態において、前記開口部が前記第一の部材に装着されることによって、前記第三の部材内部を密封した状態で、前記第一の部材と前記第三の部材とが接続され、
前記第一の部材と前記第二の部材とが接続された場合、前記第二の中空針部材が、前記薬剤容器の栓に挿通された前記第一の中空針部材内に挿通され、
前記薬剤容器把持部によって、前記薬剤容器と前記第一の部材との接続関係が固定化された後、前記第一の中空針部材及び該第一の中空針部材内に挿通された前記第二の中空針部材を介して、前記薬剤容器と前記注射筒との間で薬剤の移送を行うことを特徴とする薬剤移送装置。
【請求項２】
前記底面部が、前記底面部に載置される薬剤容器の底面を拡大して視認可能な拡大レンズを有することを特徴とする請求項１に記載の薬剤移送装置。
【請求項３】
前記開口部の大きさが調節可能であることを特徴とする請求項１に記載の薬剤移送装置。
【発明の詳細な説明】
【技術分野】
【０００１】
本発明は、注射筒・薬剤容器間で薬剤を移送させる装置の技術に関する。
【背景技術】
【０００２】
医療施設において使用される抗癌剤等の危険性医薬品には、治療用放射性医薬品などを含め多種の製品が存在する。危険性医薬品は、医療施設において治療目的に合わせて日常的に使用されている薬剤である。しかし、その調製や投与を行う環境で働く医療従事者の尿から、被ばくしていない医療従事者と比較し、相対的に高いレベルの変異誘発性物質が検出され、生殖面での悪影響が懸念されている。【０００３】
米国労働衛生安全庁は、医療従事者の抗腫瘍性薬及びその他の危険性医薬品の取り扱いについてガイドラインを公表し、米国国立衛生研究所（NIH : National Institutes of Health）などの機関でも、危険性医薬品の取り扱いに関する規定が設けられている。しかし、医療施設において危険性医薬品が取扱われる際、当該危険性医薬品により医療従事者及び患者が、意図せず被ばくする状況が未だに多く存在する。その場合、被ばくの経路は、危険性医薬品の気体や液体の経皮又は経口によるものが多い。【０００４】
具体的には、調剤作業における薬剤容器から注射器への薬剤吸引時や、輸液バッグへの薬剤注入時などに、薬剤の漏出や滴下が生じることにより被ばくする場合が多い。更に具体的には、漏出した薬剤が直接皮膚に触れたり、気化した薬剤又は乾燥した薬剤の粒子が空気中を浮遊し、体内へ吸入されたりすることが考えられる。【０００５】
上記状況に鑑み、容器間で危険性薬剤を移送する場合、当該容器間を閉鎖系とすることによって、医療従事者及び患者の危険性薬剤による被ばくを防止する試みがなされ、容器間薬剤移送を行うための医療機器が多数開発されている（特許文献１乃至６参照）。
【先行技術文献】
【特許文献】
【０００６】
【特許文献１】特開２０１０−５２１２１９号公報
【特許文献２】特開２０１０−５２５９２０号公報
【特許文献３】特開２０１０−５２８８０８号公報
【特許文献４】特開２０１０−５２８８０９号公報
【特許文献５】特開２０１０−５２８８１０号公報
【特許文献６】特開２０１０−５３７９００号公報
【発明の概要】
【発明が解決しようとする課題】
【０００７】
しかしながら、従来技術においては、薬剤容器に付着した危険性薬剤に基づく被ばくを防止することができないという問題点がある。【０００８】
そこで、本発明では、薬剤移送に使用する薬剤容器を容器ごと包被することによって、薬剤容器に付着した危険性薬剤に基づく被ばくを防止した上で、注射筒・薬剤容器間の薬剤移送を行う薬剤移送装置を提案する。
【課題を解決するための手段】
【０００９】
開示する薬剤移送装置の一形態は、薬剤容器の栓側と接続される第一の部材と、一端で該第一の部材に接続され、他端で注射筒に接続される第二の部材と、前記第一の部材と接続され、前記薬剤容器を密封状態で覆うための第三の部材と、を有する、前記薬剤容器と前記注射筒との間で薬剤の移送を行う薬剤移送装置であって、前記第一の部材が、前記薬剤容器の栓側に向けて先端部が配置され、前記第二の部材側に向けて根元部が配置されると共に、根元部及び先端部に、薬剤を移送するための孔を備えた第一の中空針部材と、前記薬剤容器の栓部外径の大きさに合わせて、接続部位の大きさを変化させ、前記薬剤容器の栓を挟着する薬剤容器把持部と、を有し、前記第二の部材が、前記第一の部材側に向けて先端部が配置され、前記注射筒側に向けて根元部が配置されると共に、根元部及び先端部に薬剤を移送するための孔を備える第二の中空針部材を有し、前記第三の部材が、開口部と、前記薬剤容器を安定的に載置させる底面部と、一端で前記開口部と接続され、他端で前記底面部と接続されると共に、側方外部から前記底面部に載置される前記薬剤容器が視認可能であって、かつ、高さ調節が自在であって、前記薬剤容器を覆う軟性部材と、を有し、前記軟性部材が前記薬剤容器把持部を覆った状態において、前記開口部が前記第一の部材に装着されることによって、前記第三の部材内部を密封した状態で、前記第一の部材と前記第三の部材とが接続され、前記第一の部材と前記第二の部材とが接続された場合、前記第二の中空針部材が、前記薬剤容器の栓に挿通された前記第一の中空針部材内に挿通され、前記薬剤容器把持部によって、前記薬剤容器と前記第一の部材との接続関係が固定化された後、前記第一の中空針部材及び該第一の中空針部材内に挿通された前記第二の中空針部材を介して、前記薬剤容器と前記注射筒との間で薬剤の移送を行うことを特徴とする。【００１０】
また、開示する薬剤移送装置の一形態は、上記の構成に加え、前記底面部が、前記底面部に載置される薬剤容器の底面を拡大して視認可能な拡大レンズを有することを特徴とする。
また、開示する薬剤移送装置の一形態は、上記の構成に加え、前記開口部の大きさが調節可能であることを特徴とする。
【発明の効果】
【００１１】
開示する薬剤移送装置は、薬剤移送に使用する薬剤容器を容器ごと包被することによって、薬剤容器に付着した危険性薬剤に基づく被ばくを防止した上で、注射筒・薬剤容器間の薬剤移送を行うことができる。
【図面の簡単な説明】
【００１２】
【図１】本実施の形態に係る薬剤移送装置を含む薬剤移送システムの一例を示す図である。
【図２】本実施の形態に係る薬剤移送装置を含む薬剤移送システムの一例を示す図である。
【図３】本実施の形態に係る薬剤移送装置を含む薬剤移送システムの一例を示す図である。
【図４】本実施の形態に係る第一の部材の要部を説明するための断面図である。
【図５】本実施の形態に係る第一のフィルタ部材の要部を説明するための平面図である。
【図６】本実施の形態に係る薬剤容器把持部の要部を説明するための図である。
【図７】本実施の形態に係る薬剤容器把持部の適用例を説明するための図である。
【図８】本実施の形態に係る第二の部材の要部を説明するための断面図である。
【図９】本実施の形態に係る第一の部材及び第二の部材の接続態様を説明するための断面図である。
【図１０】本実施の形態に係る第一の部材及び第二の部材の接続態様を説明するための断面図である。
【図１１】本実施の形態に係る第三の部材の斜視図である。
【図１２】本実施の形態に係る第一の部材及び第三の部材の接続態様を説明するための側面図である。
【発明を実施するための形態】
【００１３】
図面を参照しながら、本発明を実施するための形態について説明する。
（本実施の形態に係る薬剤移送装置の構造）
【００１４】
図１乃至図１２を用いて、本実施の形態に係る薬剤移送装置１の構造について説明する。図１は、薬剤移送装置１を含む薬剤移送システム１００の概要を示した図である。図１で示すように、薬剤移送システム１００は、薬剤容器２、注射筒６、第一の部材８、第二の部材３０、第三の部材４８を有する。
【００１５】
薬剤移送システム１００は、薬剤容器２と注射筒６とを、第一の部材８及び第二の部材３０を用いて閉鎖系として接続し、当該接続状態において、薬剤容器２・注射筒６間で液体又は気体の薬剤の移送を行う。
【００１６】
さらに、薬剤移送システム１００は、第一の部材８と薬剤容器２を内部に載置させた第三の部材４８とを接続することによって、薬剤容器２を外部から隔離させた上で、薬剤容器２・注射筒６間で薬剤の移送を行う。
【００１７】
薬剤容器２は、図１で示すようにバイアル（Vial）であることが好適であるが、図２で示すように輸液バッグであっても良く、薬剤容器２内部には、固体・液体・気体の薬剤が格納されている。図３で示すように、薬剤移送装置１は、薬剤容器２を輸液ラインとして応用することも可能である。また、薬剤容器２は、他の部材と接続させ、薬剤を移送させる際に使用する栓４を備えている。薬剤容器２は、栓４側で、第一の部材８と接続される。
【００１８】
注射筒６は、シリンジ（Syringe）とも言い、液体又は気体の薬剤を注入又は吸引するための器具であり、注射針は備えていない。注射筒６は、第二の部材３０と、第二の部材３０が備える注射筒接続部４４において接続される。
また、図１で示すように、第一の部材８と第二の部材３０とが接続され、第一の部材８と第三の部材４８とが接続される。
【００１９】
次は、図４を用いて第一の部材８について説明する。図４は、第一の部材８の要部を説明するための断面図である。図４で示すように、第一の部材８は、嵌合機構の雄部１０、第一の中空針部材１２、第一の弾力性部材１８、第一の固定部材２６、第一のフィルタ部材２０、第二のフィルタ部材２４、薬剤容器把持部２８を有する。
【００２０】
嵌合機構の雄部１０は、第一の部材８と第二の部材３０とを接続させるための嵌合機構（ロック機構）の雄部であり、後述する第二の部材３０が備える雌部３２に嵌め込むことによって、第一の部材８と第二の部材３０とが簡易な操作により接続される。当該嵌合機構は、例えば、爪形状である雌部と当該爪を掛ける形状である雄部とからなる機構であって、これら爪と爪を掛ける部位とが噛み合わさるようにすることで、第一の部材８と第二の部材３０とを容易に接続しロックさせることができる。なお、上記嵌合機構は、その他の構造であっても良い。
【００２１】
第一の中空針部材１２は、内部が中空の針形状であり、先端部１４が薬剤容器２の栓４に向けて配置され、根元部１６が第二の部材３０との接続部に向けて配置される。また、先端部１４は、薬剤容器２の栓４に挿し込まれた状態で、薬剤容器２・注射筒６間の薬液移送が行われる。そのため、少なくとも先端部１４及び根元部１６には、薬剤移送のための孔が備えられる。
【００２２】
第一の弾力性部材１８は、例えば、シリコンや熱可塑性樹脂などの弾力性を備える素材を材料とする球形状の部材である。また、第一の弾力性部材１８は、第一の固定部材２６によって第一の部材８内の所定の位置に固定される。ここで、所定の位置とは、第一の弾力性部材１８が、第一の中空針部材１２の根元部１６の孔を塞ぐ位置である。
【００２３】
第一の固定部材２６は、上記のように、第一の弾力性部材１８を第一の部材８内の所定の位置に固定するための部材である。第一の固定部材２６は、底部に孔の開いたすり鉢状の形をしており、当該すり鉢状の部位に球形状の第一の弾力性部材１８を嵌め込むことによって、第一の弾力性部材１８を所定の位置に固定する。
【００２４】
第一のフィルタ部材２０は、後述するように、弾力性部材１８、４０を貫通し、第一の中空針部材１２内に挿通される第二の中空針部材３４が発生させる弾力性部材１８、４０の屑（以下、「不要物」ともいう。）４６を、第一の中空針部材１２内に入れないようにする部材である。第一のフィルタ部材２０は、第一の弾力性部材１８と第一の中空針部材１２の根元部１６にある孔との間に配置される。
【００２５】
ここで図５は、第一のフィルタ部材２０の構造を説明するための図である。図５で示すように、第一のフィルタ部材２０は、糸状の部材を網目状（格子状）に配置した網目状部材２２に、網目状部材２２を４５°程度回転させた網目状部材２２を重ねた構成である。ただし、第一のフィルタ部材２０は、第二の中空針部材３４が発生させる弾力性部材１８、４０の削り屑４６を第一の中空針部材１２内に入れないようにする目的で設置する部材であるため、その目的を達成する限りにおいて、上記構成には限定されない。
【００２６】
第二のフィルタ部材２４は、第一のフィルタ部材２０と同様に、第二の中空針部材３４が発生させる不要物４６を、第一の中空針部材１２内（特に先端部１４）に入れないようにする部材である。第二のフィルタ部材２４は、第一の中空針部材１２の内部に設置される。第二のフィルタ部材２４は、上記目的を達成する限り、材質及び構造は限定されない。
【００２７】
次に、図６及び図７を用いて、薬剤容器把持部２８について説明する。図６（ａ）は、薬剤容器把持部２８の要部を説明するための正面図、図６（ｂ）は、薬剤容器把持部２８の要部を説明するための平面図である。図７（ａ）乃至（ｃ）は、それぞれ、種々の大きさの栓４に合わせ、薬剤容器把持部２８の大きさを変化させる様子を説明する図である。
【００２８】
薬剤容器２の栓４の大きさは、口径が１５ｍｍ、２０ｍｍ、３０ｍｍなど様々である。従って、図６（ａ）で示すように、薬剤容器把持部２８は、薬剤容器２の栓４又は首部分を横から挟み込むことによって、薬剤容器２と第一の部材８との接続関係を固定する部材である。また、図６（ｂ）で示すように、薬剤容器把持部２８は、薬剤容器２の栓４（又は首部分）の大きさに接続部位の大きさを調整することができる。
【００２９】
そして、図７（ａ）乃至（ｃ）それぞれで示すように、薬剤容器把持部２８は、薬剤容器２の栓４（又は首部分）の大きさに接続部位の大きさを合わせて、栓４（又は首部分）の左右両側又は四方から挟み込むことによって、薬剤容器２と第一の部材８との接続関係を固定する。
【００３０】
次に図８を用いて、第二の部材３０について説明する。図８は、第二の部材３０の要部を説明するための断面図である。図８で示すように、第二の部材３０は、注射筒接続部４４、嵌合機構の雌部３２、第二の中空針部材３４、第二の弾力性部材４０、第二の固定部材４２を有する。
【００３１】
注射筒接続部４４は、移送する液体又は気体の薬剤が格納される注射筒６と接続される部位であり、第一の部材８が接続される部位の他端に位置する。注射筒接続部４４と注射筒６とが接続される機構に関しては特に限定は無い。
【００３２】
嵌合機構の雌部３２は、第一の部材８と第二の部材３０とを接続させるための嵌合機構（ロック機構）の雌部であり、第一の部材８が備える雄部１０に嵌め込むことによって、第一の部材８と第二の部材３０とが簡易な操作により接続される。当該嵌合機構は、例えば、爪形状である雌部と当該爪を掛ける形状である雄部とからなる機構であって、これら爪と爪を掛ける部位とが噛み合わさるようにすることで、第一の部材８と第二の部材３０とを容易に接続しロックさせることができる。なお、上記嵌合機構は、その他の構造であっても良い。
【００３３】
第二の中空針部材３４は、内部が中空の針形状であり、先端部３６が第一の部材８（第一の中空針部１２）に向けて配置され、根元部３８が注射筒６との接続部（注射筒接続部４４）に向けて配置される。また、先端部３６は、後述する第二の弾力性部材４０に挿し込まれた状態で支持され、根元部３８は、注射筒接続部４４に固定される。なお、薬剤移送時には、第一の部材８と第二の部材３０とが接続され、第二の中空針部材３４は、第一の中空針部材１２内に挿通される。そのため、第二の中空針部材３４は、その向きが所定の方向に固定され、部材８、３０間の接続操作（中空針部材１２、３４の挿通操作）を確実かつ容易に行うことができる。
【００３４】
また、薬剤容器２・注射筒６間の薬液移送は、第二の中空針部材３４を介して行われるため、少なくとも先端部３６及び根元部３８には、薬剤移送のための孔が備えられる。
【００３５】
第二の弾力性部材４０は、例えば、シリコンや熱可塑性樹脂などの弾力性を備える素材を材料とする球形状の部材である。また、第二の弾力性部材４０は、第二の固定部材４２によって第二の部材３０内の所定の位置に固定される。ここで、所定の位置とは、第一の部材８と第二の部材３０とを接続した場合に、第一の弾力性部材１８と第二の弾力性部材４０とが、所定の力で当接する位置である。
【００３６】
第二の固定部材４２は、上記のように、第二の弾力性部材４０を第二の部材３０内の所定の位置に固定するための部材である。第二の固定部材４２は、底部に孔の開いたすり鉢状の形をしており、当該すり鉢状の部位に球形状の第二の弾力性部材４０を嵌め込むことによって、第二の弾力性部材４０を所定の位置に固定する。
【００３７】
次に、図９及び図１０を用いて、第一の部材８及び第二の部材３０の接続形態について説明する。図９及び図１０は、第一の部材８及び第二の部材３０の接続態様を説明するための断面図である。
【００３８】
図９で示すように、第一番目の手順として、第一の部材８と第二の部材３０とを接続させるための嵌合機構の雄部１０と雌部３２とを嵌め合わせ、第一の部材８と第二の部材３０とを接続する。この状態において、第一の弾力性部材１８と第二の弾力性部材４０とが当接し、弾力性部材１８、４０の当接した部位が潰れた状態となり、第一の部材８と第二の部材３０との接続部位は外部から閉鎖された閉鎖系となる。
【００３９】
そして、図１０で示すように、第二番目の手順として、上記状態を継続させたまま、第二の弾力性部材４０に支持された第二の中空針部材３４の先端部３６を、第二の弾力性部材４０及び第一の弾力性部材１８内で押し進めて貫通させ、第一の中空針部材１２内に根元部１６から挿通させる。その際、第二の中空針部材３４が、弾力性部材１８、４０を削り取る可能性が有るため、第一のフィルタ部材２０及び第二のフィルタ部材２４でその削り屑４６の透過を防止する。
【００４０】
そして、第一の中空針部材１２の先端部１４が、薬剤容器２の栓４に挿し込まれ、薬剤容器２・注射筒６間で薬液移送は、中空針部材１２、３４を介して行われる。
【００４１】
次は図１１を用いて、第三の部材４８の構造について説明する。図１１は、第三の部材４８の斜視図である。図１１で示すように、第三の部材４８は、開口部５０、底面部５２、軟性部材５６を有する。
【００４２】
開口部５０は、第三の部材４８内部に薬剤容器２を載置する際、第三の部材４８内部に薬剤容器２を挿入するための部位である。また、開口部５０は、第一の部材８を挟み込む機能を備え、開口部５０が第一の部材８を挟み込むことによって、第一の部材８と第三の部材４８とが接続され、当該接続状態が保たれる。その場合、第一の部材８が第三の部材４８の蓋の役割を果たすことによって、第三の部材４８内部が密封状態となる。
【００４３】
なお、開口部５０は、第一の部材８が備える薬剤容器把持部２８を挟み込むことによって、第一の部材８と第三の部材４８とが接続される形態としても良い。また、開口部５０は、例えば、材質がゴムのような弾性部材であるなど、第一の部材８における接続部位の大きさに応じ、その周囲長を調整できる機構を備える形態であっても良い。
【００４４】
底面部５２は、薬剤容器２を載置する部位であり、薬剤容器２を安定的に載置するために平らな形状であることが好適である。なお、底面部５２は、薬剤容器２を安定的に載置するために、滑り止め機構や薬剤容器２を固定させるその他の機構を備えていても良い。
【００４５】
底面部５２は、載置させた薬剤容器２底面から薬剤容器２内を観察できるように、拡大レンズ５４を備えている。第三の部材４８によって薬剤容器２を密封した場合であっても、底面部５２が拡大レンズ５４を備えていることによって、外部から薬剤容器２の監査（薬剤容器２内の薬剤の様子を観察する作業）を行うことができる。
【００４６】
軟性部材５６は、底面部５２に載置された薬剤容器２を覆うための部材であって、一端５８が開口部５０の周囲と接合され、他端６０が底面部５２の周囲と接合される、高さ調節が自在な部材である。軟性部材５６は、軟らかい材質であることが好適である。また、軟性部材５６は、高さ調節が自在であるために、蛇腹形状であっても良い。軟性部材５６がこのような性質を備えることにより、薬剤移送装置１は、薬剤容器２の大きさに関わらず、薬剤容器２を密封状態に置くことができる。
【００４７】
軟性部材５６は、底面部５２に載置され、軟性部材５６で覆われた薬剤容器２を、側方から視認可能な部材である。そのため、軟性部材５６は、透明な部材であることが好適である。また、第一の部材８と第三の部材４８とが接続される場合、軟性部材５６が、薬剤容器把持部２８を覆った状態となる。
【００４８】
次は図１２を用いて、第一の部材８と第三の部材４８との接続形態について説明する。図１２は、第一の部材８及び第三の部材４８の接続態様を説明するための側面図である。
【００４９】
図１２で示すように、第一番目の手順として、第一の部材８に接続された薬剤容器２を、開口部５０に挿入し、底面部５２に薬剤容器２の底面を着け、底面部５２上に薬剤容器２を載置させる。
【００５０】
図１２で示すように、第二番目の手順として、開口部５０及び軟性部材５６を引き上げ、薬剤容器２の高さに合わせて軟性部材５６の高さ調節を行う。そして、第三番目の手順として、開口部５０を第一の部材８に接続させ、第三の部材４８内部に有る薬剤容器２を密封状態とする。
（本実施の形態に係る薬剤移送装置の使用方法）
（１）薬剤移送の動作
【００５１】
図１、図２、図４、図６、図７、図９及び図１０を用いて、薬剤移送装置１の使用方法、具体的には、薬剤移送装置１を含む薬剤移送システム１００における薬剤容器２・注射筒６間での薬剤移送の方法について説明する。なお、ここでは、図１で示すような、薬剤容器２がバイアルである場合の薬剤移送、及び、図２で示すような、薬剤容器２が輸液バッグである場合の薬剤移送を想定している。
【００５２】
第一番目の手順として、操作者は、図４で示す第一の部材８が備える第一の中空針部材１２の先端部１４を、薬剤容器２の栓部４に挿し込むことによって、薬剤容器２と第一の部材８とを接続する。
【００５３】
第二番目の手順として、操作者は、図６及び図７で示すように、薬剤容器２の栓部４の口径の大きさに合わせ、薬剤容器把持部２８の大きさを調整し、栓部４（又は首部分）の左右両側又は四方から挟み込むことによって、薬剤容器２と第一の部材８との接続関係を固定する。
【００５４】
第三番目の手順として、操作者は、図９で示すように、嵌合機構の雄部１０と雌部３２とを嵌め合わせ、第一の部材８と第二の部材３０とを接続する。この状態において、第一の弾力性部材１８と第二の弾力性部材４０とが当接し、弾力性部材１８、４０の当接した部位が潰れた状態となり、第一の部材８と第二の部材３０との接続部位は外部から閉鎖された閉鎖系となる。
【００５５】
第四番目の手順として、操作者は、図１０で示すように、第三番目の手順が完了した状態を継続させたまま、第二の弾力性部材４０に支持された第二の中空針部材３４の先端部３６を、第二の弾力性部材４０及び第一の弾力性部材１８内で押し進めて貫通させる。さらに、操作者は、第二の中空針部材３４を第一の中空針部材１２内に根元部１６から挿通させる。その際、第二の中空針部材３４が、弾力性部材１８、４０を削り取る可能性が有るため、第一のフィルタ部材２０及び第二のフィルタ部材２４でその削り屑４６の透過を防止する。
第五番目の手順として、操作者は、図１又は図２で示すように、第二の部材３０が備える注射筒接続部４４に注射筒６を接続させる。
【００５６】
第六番目の手順として、操作者は、注射筒６から薬剤容器２へ向かって、又は、薬剤容器２から注射筒６へ向かって薬剤の移送を行う。その際、操作者は、薬剤容器２を逆さにしたり、注射筒６を適宜操作したりして薬剤の移送を行う。
（２）薬剤容器密封の動作
【００５７】
図１、図２、図１０乃至図１２を用いて、薬剤移送装置１の使用方法、具体的には、薬剤移送装置１を含む薬剤移送システム１００において、薬剤容器２を外部から遮断した密封状態とする方法について説明する。なお、ここでは図１で示すような、薬剤容器２がバイアルである場合の薬剤移送、及び図２で示すような、薬剤容器２が輸液バッグである場合の薬剤移送を想定している。
【００５８】
第一番目の手順として、操作者は、図１０で示す第一の部材８に接続された薬剤容器２を、図１１で示す開口部５０に、薬剤容器２の底面から挿入し、底面部５２に薬剤容器２の底面を着け、底面部５２上に薬剤容器２を載置させる。
第二番目の手順として、操作者は、底面部５２に載置した薬剤容器２の高さに合わせて、開口部５０及び軟性部材５６を引き上げる。
【００５９】
第三番目の手順として、操作者は、図１２で示すように、開口部５０で第一の部材８を締め着け、第一の部材８と第三の部材４８とを接続させる。この操作によって、薬剤容器２は、第三の部材４８内部で密封状態となる。
【００６０】
第三番目の手順を実行後、薬剤容器２の監査など第三の部材４８で密封された薬剤容器２の内部を確認したい場合、操作者は、底面部５２が備える拡大レンズ５４を介して薬剤容器２の内部を確認することができる。
（総括）
【００６１】
開示する薬剤移送装置１は、薬剤移送に使用する薬剤容器２を容器ごと包被することによって、薬剤容器２に付着した危険性薬剤に基づく被ばくを防止した上で、注射筒６・薬剤容器２間の薬剤移送を行うことができる。
【００６２】
開示する薬剤移送装置１は、薬剤移送に使用する薬剤容器２の大きさに応じて、密封器具４８の高さを変化させ、薬剤容器２の大きさに依存せずに、薬剤容器２の密封状態を形成することによって、薬剤容器２に付着した危険性薬剤に基づく被ばくを防止することができる。
【００６３】
開示する薬剤移送装置１は、密封状態にある薬剤容器２について、底面方向から拡大レンズを介して容器２内部を確認することによって、密封状態を保った上で薬剤容器２内の様子、特に薬剤容器２内の薬剤の様子を観察することができる。
【００６４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６５】
１      薬剤移送装置
２      薬剤容器
４      薬剤容器の栓
６      注射筒
８      第一の部材
１０    嵌合機構の雄部
１２    第一の中空針部材
１４    第一の中空針部材の先端部
１６    第一の中空針部材の根元部
１８    第一の弾力性部材
２０    第一のフィルタ部材
２２    網目状部材
２４    第二のフィルタ部材
２６    第一の固定部材
２８    薬剤容器把持部
３０    第二の部材
３２    嵌合機構の雌部
３４    第二の中空針部材
３６    第二の中空針部材の先端部
３８    第二の中空針部材の根元部
４０    第二の弾力性部材
４２    第二の固定部材
４４    注射筒接続部
４６    不要物
４８    第三の部材
５０    開口部
５２    底面部
５４    拡大レンズ
５６    軟性部材
５８    軟性部材の一端
６０    軟性部材の他端
１００  薬剤移送システム
【図１】
0005510985.tif 000002
【図２】
0005510985.tif 000003
【図３】
0005510985.tif 000004
【図４】
0005510985.tif 000005
【図５】
0005510985.tif 000006
【図６】
0005510985.tif 000007
【図７】
0005510985.tif 000008
【図８】
0005510985.tif 000009
【図９】
0005510985.tif 000010
【図１０】
0005510985.tif 000011
【図１１】
0005510985.tif 000012
【図１２】
0005510985.tif 000013